(57)【要約】【課題】混合廃棄物処理プラントと廃プラスチック系の廃棄物処理プラントとを併設するときの好適な配置・設計を提供する。【解決手段】  廃プラスチックＰＬを選別する第１のライン６０と、混合廃棄物ＭＸから廃プラスチックを選別する選別部７０と、選別部７０で混合廃棄物ＭＸから選別された第２の廃プラスチックＭＸ１２２を処理する第２のライン９０と、選別部７０で選別された第２の廃プラスチック１２２以外の混合廃棄物の残渣ＭＸ２、ＭＸ１２１を処理する残渣処理部と、を備え、第１のライン６０と第２のライン９０が並設されている。【選択図】図７
2010036163.tif 000002
【特許請求の範囲】
【請求項１】
廃プラスチックを処理する第１のラインと
混合廃棄物から廃プラスチック系廃棄物を選別する選別部と、
前記選別部で前記混合廃棄物から選別された前記廃プラスチック廃棄物を処理する第２のラインと、
前記選別部で選別された前記廃プラスチック系廃棄物以外の前記混合廃棄物の残渣を処理する残渣処理部と、を備え、
前記第１のラインと第２のラインが並設されている、ことを特徴とする廃棄物処理プラント。
【請求項２】
前記選別部は前記混合廃棄物に含まれる所定のサイズを超える第２の廃プラスチック系廃棄物を前記第１のラインへ供給する手段を備える、ことを特徴とする請求項１に記載の廃棄物処理プラント。
【請求項３】
前記選別部は、第１のサイズを基準に前記混合廃棄物を選別する第１の選別機と、
前記第１の選別機で選別された前記第１のサイズを超える前記混合廃棄物を選別する第２の選別機であって、第２のサイズを超える混合廃棄物において第１の比重以下の比重の混合廃棄物を前記第１のラインへ供給する第２の選別機と、
前記第２の選別機で選別された前記第２のサイズ以下の混合廃棄物を選別する第３の選別機であって、第２の比重以下の比重の混合廃棄物を前記第２のラインへ供給する第３の選別機と、を備えることを特徴とする請求項１に記載の廃棄物処理プラント。
【請求項４】
前記残渣処理部には、
前記第１の選別機で選別された前記第１のサイズ以下の混合廃棄物から第３のサイズ以下の微粒子成分を除去する第４の選別機と、該第４の選別機で選別された第３のサイズを超える前記混合廃棄物において第３の比重を超えるものを選別する第５の選別機とが備えられ、
前記第５の選別機で選別された前記混合廃棄物と、前記第３の選別機で選別された前記第２の比重を越える比重の混合廃棄物とを破砕する破砕機と、
該破砕機で破砕された混合廃棄物を第４のサイズを基準にしてセメント原料と建築用資材とに選別する第６の選別機、とを備えることを特徴とする請求項３に記載の廃棄物処理プラント。
【発明の詳細な説明】
【技術分野】
【０００１】
本発明は廃棄物処理プラントに関する。本発明の廃棄物処理プラントは、建築物の解体等により生じた建築資材その他の産業的な廃棄物を処理することに適している。
【背景技術】
【０００２】
建築物を解体したときに生じる廃棄物には無機材料（ガラス、コンクリート等）や有機材料（プラスチック、ゴム等）が混合している。混合廃棄物を原料としてこれを選別し、破砕して、再利用することが提案されている（例えば特許文献１や特許文献２参照）。
他方、廃プラスチックを効率よくリサイクル原料とすることのできる廃棄物処理プラントも望まれている。
通常は、混合廃棄物を処理するプラントと廃プラスチックを処理するプラントとは別個に設けられている。
【特許文献１】特開２００６−７３９号公報
【特許文献２】特開２００６−７８９号公報
【発明の開示】
【発明が解決しようとする課題】
【０００３】
混合廃棄物を処理するプラントと廃プラスチックを処理するプラントとが別個に設けられると、産廃業者は廃棄物を選別してさらに選別した内容に応じてそれぞれのプラントまで運搬しなくてはならず、手間がかかっていた。
理論的には、廃プラスチックを混合廃棄物処理プラントで処理可能であるが、処理スピードが遅くなるので現実的ではない。
そこで本発明者は、上記混合廃棄物を処理するプラントと廃プラスチックを処理するプラントとを併設し、もってプラント設備の集約（１ストップサービス）について検討をしてきた。
即ち、この発明の目的は混合廃棄物処理プラントと廃プラスチックの処理プラントとを併設するときの好適な配置・設計を提供することにある。
【課題を解決するための手段】
【０００４】
この発明は上記目的を達成すべきなされた廃棄物処理プラントである。即ち、
混合廃棄物から廃プラスチック系廃棄物を選別する選別部と、
前記選別部で前記混合廃棄物から選別された前記廃プラスチック系廃棄物を処理する第２のラインと、
前記選別部で選別された前記廃プラスチック系廃棄物以外の前記混合廃棄物の残渣を処理する残渣処理部と、を備え、
前記第１のラインと第２のラインが並設されている、ことを特徴とする廃棄物処理プラント。
【０００５】
このように規定される第１の局面の廃棄物処理プラントによれば、混合廃棄物から廃プラスチック系廃棄物を選別して、当該廃プラスチック系廃棄物は第２のラインへ送られる。ここに、この第２のラインは廃プラスチックの処理専用の第１のラインへ並設されている。一般的に、廃プラスチックの処理ラインでは金属等の異物や塩素系のプラスチックを除去する必要がある。ここに、第１のラインと第２のラインとを並設することにより、当該除去作業を共通化することができる。
【０００６】
この発明の第２の局面は次のように規定される。即ち、第１の局面で規定の廃棄物処理プラントにおいて、前記選別部は前記混合廃棄物に含まれる所定のサイズを超える第２の廃プラスチック系廃棄物を前記第１のラインへ供給する手段を備える。
このように規定される第２の局面の廃棄物処理プラントによれば、第１のラインで処理可能なものが混合廃棄物から選択されて第１のラインへ供給される。これにより、第２のラインで処理される廃プラスチック系廃棄物のサイズが揃えられることとなり、当該第２のラインの稼動速度を最適化できる。その結果、混合廃棄物の処理速度が向上し、そのスループットが向上する。
【０００７】
この発明の第３の局面は次のように規定される。即ち、第１の局面で規定の廃棄物処理プラントにおいて、前記選別部は、第１のサイズを基準に前記混合廃棄物を選別する第１の選別機と、
前記第１の選別機で選別された前記第１のサイズを超える前記混合廃棄物を選別する第２の選別機であって、第２のサイズを超える混合廃棄物において第１の比重以下の比重の混合廃棄物を前記第１のラインへ供給する第２の選別機と、
前記第２の選別機で選別された前記第２のサイズ以下の混合廃棄物を選別する第３の選別機であって、第２の比重以下の比重の混合廃棄物を前記第２のラインへ供給する第３の選別機と、を備える。
このように規定される第３の局面の廃棄物処理プラントによれば、第１のラインで処理することが適当な廃プラスチック系廃棄物を混合廃棄物から確実に選別して当該第１のラインへ供給できる。また、第２のラインで処理することが適当な廃プラスチック系廃棄物を混合廃棄物から確実に選別して当該第２のラインへ供給できる。
また、比重を調整することにより、各廃プラスチック系廃棄物に含まれるプラスチック割合を制御できる。混合廃棄物由来の廃プラスチック系廃棄物には紙、布、木材等も含まれるので、プラスチック割合を制御できれば、廃プラスチック系廃棄物から得られる燃料の単位体積当たりの熱量を調整可能となる。
【０００８】
この発明の第４の局面は次のように規定される。即ち、第３の局面で規定する廃棄物処理プラントにおいて、前記残渣処理部には、
前記第１の選別機で選別された前記第１のサイズ以下の混合廃棄物から第３のサイズ以下の微粒子成分を除去する第４の選別機と、該第４の選別機で選別された第３のサイズを超える前記混合廃棄物において第３の比重を超えるものを選別する第５の選別機とが備えられ、
前記第５の選別機で選別された前記混合廃棄物と、前記第３の選別機で選別された前記第２の比重を越える比重の混合廃棄物とを破砕する破砕機と、
該破砕機で破砕された混合廃棄物を第４のサイズを基準にしてセメント原料と建築用資材とに選別する第６の選別機、とを備える。
このように規定された第４の局面の廃棄物処理プラントによれば、混合廃棄物において廃プラスチック成分以外の成分を残渣処理部で処理して、セメント原料と建築用資材資材とに再生できる。
【発明を実施するための最良の形態】
【０００９】
以下、本発明を具体化した実施形態について説明する。
この発明の実施例の廃棄物処理プラント１の概略構成を図１に示す。
この廃棄物処理プラント１（以下、単に「プラント」と略することがある）は、第１のライン１０、選別部２０、第２のライン３０及び残渣処理部４０とを備えてなる。
第１のライン１０には廃プラスチックＰＬがホッパ等の投入口１１より投入される。ここに、廃プラスチックＰＬは産廃業者等により予めプラスチック材料として分別されているものではあるが、往々にして金属等の異物が含まれることがある。また、塩素を含むプラスチックは再生装置を腐食させるおそれがある。よって、これら金属等の異物や塩素系プラスチック材料を除去する必要がある。第１のライン１０ではかかる除去処理が自動的に及び／又は人の手により実行される。
第１のライン１０へ直接供給される廃プラスチックＰＬは比較的大きなものが多い。細かい廃プラスチックは第１のライン１０で処理されるまでもなく、燃料等として再利用が図られている。
【００１０】
選別部２０には混合廃棄物ＭＸがホッパ等の投入口２１より投入される。この混合廃棄物ＭＸはもっぱら建築資材の廃棄物であり、生ごみ等の生活廃棄物は含まれないものとする。選別部２０の基本的な機能は混合廃棄物ＭＸから廃プラスチック系の廃棄物を選別して第２のライン３０へ供給することにある。
【００１１】
この発明の一つの実施例では、選別部２０は第１〜第３の選別機２２，２３，２５を備える。第１の選別機２２は第１のサイズＴＨｓ１（実施例では６０ｍｍ）を基準にして混合廃棄物ＭＸを分別する。かかる第１の選別機２２として例えばトロンメルを用いることができる。
第１のサイズＴＨｓ１を超える混合廃棄物ＭＸ１は第２の選別機２３へ送られる。他方、第１のサイズＴＨｓ１以下の混合廃棄物ＭＸ２は残渣処理部４０の第４の選別機４１へ送られる。
第２の選別機２３では、まず、第２のサイズＴＨｓ２（実施例では２５０ｍｍ）を基準にして混合廃棄物ＭＸ１を選別する。その結果、第２のサイズＴＨｓ２を超える大きさの混合廃棄物ＭＸ１１が第１の比重ＴＨｗ１を基準にして選別される。実施例では明確な比重ＴＨｗ１が規定されるものではないが、振動ふるいを用い、第２のサイズＴＨｓ２を超える比較的大物であって、重比重物ＭＸ１１１はがれき類としてプラントの系外へ排出する。他方、第２のサイズＴＨｓ２を超える大物あっても軽比重物ＭＸ１１２は第２の廃プラスチック系廃棄物であるとして第１のライン１０へ供給する。ここに、振動ふるいの振動エネルギーをかえることにより、第１のライン１０へ供給する第２の廃プラスチック系廃棄物の比重、即ちプラスチック比率を制御できる。
【００１２】
第２の選別機２３においてそのサイズが第２のサイズＴＨｓ２以下の混合廃棄物ＭＸ１２は第３の選別機２５へ送られる。第３の選別機２５では第２の比重ＴＨｗ２を基準にして選別が行われる。実施例では明確な比重ＴＨｗ２が規定されるものではないが、ベルト式の異物選別機を用いて６０〜２５０ｍｍサイズであって重比重物ＭＸ１２１は残渣処理部４０の破砕機４５へ送られる。他方、６０〜２５０ｍｍサイズであって軽比重物ＭＸ１２２は第１の廃プラスチック系廃棄物であるとして第２のライン３０へ送られる。ここに異物選別機の選別能力（風力等）を調整することにより、第２のライン３０へ送られる第１の廃プラスチック系廃棄物の比重、即ちプラスチック比率を制御できる。
【００１３】
ここに、第１のライン１０と第２のライン３０とでは処理される廃プラスチックのサイズが異なるので、異物分別等の手法も異なる場合がある。換言すれば、廃プラスチックのサイズに応じて最適な手段が選択できる。その結果、各ライン１０、３０を最大の処理能力で稼動させられる。
第１のライン１０と第２のライン３０とは近接して並設されることが好ましい。廃プラスチックの処理にはオペレータが必要な場合が多いので、第１のライン１０と第２のライン３０とを近接かつ並設することにより、一人のオペレータが両ライン１０、３０を担当可能となる。
【００１４】
残渣処理部４０の基本的機能は廃プラスチック系廃棄物が選別除去された混合廃棄物を再利用可能な材料にまで処理することにある。
実施例の残渣処理部４０は第４〜第６の選別機４１，４３，４７と破砕機４５を備えている。
第１の選別機２２で選別された第１のサイズ以下の混合廃棄物ＭＸ２は第４の選別機４１において微粒子成分ＭＸ２２が除去される。微粒子成分ＭＸ２２はプラントの寿命を低下させる磨耗の原因となるからである。実施例では第３のサイズ（１０ｍｍ）を基準にして振動ふるいを利用して当該第３のサイズ以下の混合廃棄物ＭＸ２２（微粉末成分）と第３のサイズを越える混合廃棄物ＭＸ２１とに選別する。プラントから排出されるこの微粉末成分ＭＸ２２はセメント原料として用いることができる。
混合廃棄物ＭＸ２１はブロア（第５の選別機）の発生する風により重比重物（無機材料）ＭＸ２１１と軽比重物（有機材料）ＭＸ２１２とに更に選別される。重比重物の混合廃棄物ＭＸ２１１は破砕機４５へ送られる。プラントから排出される軽比重物の混合廃棄物ＭＸ２１２は可燃物であるので、これは燃料として利用できる。
【００１５】
第５の選別機４３から送られてくる１０〜６０ｍｍサイズの重比重物からなる混合廃棄物ＭＸ２１１と第３の選別機２５から送られてくる６０〜２５０ｍｍサイズの重比重物からなる混合廃棄物ＭＸ１２１とが共に破砕機４５で破砕される。
【００１６】
破砕機４５で破砕された混合廃棄物ＭＸ３は第６の選別機４７へ送られる。この第６の選別機４７は、第４のサイズを基準として、混合廃棄物ＭＸ３を選別する。実施例では第４のサイズとして２０ｍｍを採用している。そして、当該第４のサイズを超える混合廃棄物ＭＸ３１はモルタル等の建築用資材として使用される。第４のサイズ以下の混合廃棄物ＭＸ３２はセメント原料として使用される。
【実施例】
【００１７】
以下、この発明の実施例について説明する。
図２は実施例の廃棄物処理プラント５０の平面図である。図３〜図６にはプラント５０の部分断面図を示した。また、図７はプラント５０の動作を示すフローシートである。
実施例の廃棄物処理プラント５０は第１のライン６０、選別部７０、第２のライン９０及び残渣処理部１００とから大略構成される。
第１のライン６０はコンベアラインからなり、廃プラスチックを導入するためのホッパ６１とオペレータの立位置となる手選別所６２が付設される。符号６３は磁選機であって、廃プラスチック中に含まれる鉄等の磁性金属材料を吸着除去する。また、図７に示すように、塩素センサ６５を配設することが好ましい。
【００１８】
選別部７０は図４〜図６に詳述されるように、ホッパ７１、キャタピラコンベア７３、急斜面コンベア７５、トロンメル７７、振動ふるい７９及び異物選別機８１を備えてなる。
トロンメル７７は６０ｍｍの目を備え、混合廃棄物中の６０ｍｍ以下の成分を落下させ、６０ｍｍを超える大きさの成分を振動ふるい７９へ送る。振動ふるい７９は２５０ｍｍの目を備え、トロンメルから送られてきた混合廃棄物を２５０ｍｍを越えるサイズを有するものと２５０ｍｍ以下のサイズのものとに分別する。２５０ｍｍ以下のサイズのものは異物選別機８１へ送られる。異物選別機８１は傾斜したベルトコンベアを備え、このベルトコンベアを傾斜方向下方へ進行させながら当該ベルトコンベアに沿って強い風を上方へ送る。これにより、所定の比重より軽いものは風により吹き上げられて第２のライン９０へ供給される。他方、所定の比重より重いものは風で吹き上げられないので、ベルトコンベアに沿って残渣処理部１００へ送られる。
【００１９】
第２のライン９０はコンベアラインからなり、選別部７０で選択された６０〜２５０ｍｍサイズの廃プラスチック系廃棄物が異物選別機８１から供給される。手選別所６２、磁選機６３及び塩素センサ６５は第１のライン６０と共通化されている。
【００２０】
残渣処理部１００にはトロンメル７７で選別された６０ｍｍサイズ以下の混合廃棄物を処理する第１の処理ライン１１０、異物選別機８１で選別された６０〜２５０ｍｍサイズの重比重物を貯留ポート２０８まで搬送する第２の処理ライン１３０、及び選別された残渣を破砕・選別する第３の処理ライン１４０を備えている。
【００２１】
第１の処理ライン１１０において、第１のベルトコンベア１１１はトロンメル７７の下方においてトロンメル７７と並列に配置される。トロンメル７７から落下した６０ｍｍサイズ以下の混合廃棄物はこの第１のベルトコンベア１１１にキャッチされて、第２のベルトコンベア１１３に受け渡される。第２のベルトコンベア１１３は第１のベルトコンベア１１１に対して直交して配置される。
第２のベルトコンベア１１３の終端は第２の振動ふるい１１５のホッパ１１４に対向している。第２の振動ふるい１１５は１０ｍｍの目を有し、トロンメル７７において選別された６０ｍｍ以下の混合廃棄物のうちの１０ｍｍサイズ以下の微粉末成分を選別除去する。更に、分別送風機１１９により混合廃棄物の移送方向へ風を送ることにより、軽比重の混合廃棄物を吹き飛ばす。このとき、１０ｍｍサイズ未満の微粉末成分の軽比重成分をも当該風に巻き込むことができる。１０ｍｍ〜６０ｍｍサイズの混合廃棄物のうちの重比重物は風により飛ばされることなく第３のベルトコンベア１２１へ送られる。第３のベルトコンベア１２１の終端は貯留ポート２０８に達している。第３のベルトコンベア１２１には手選別所１２３が付設される。なお、図７に示すとおり、第１のベルトコンベア１１１及び第２のベルトコンベア１１３にかけて磁選機１２５を配設できる。
【００２２】
第２の処理ライン１３０は第４のベルトコンベアからなり、手選別所１３３と磁選機１３５とが配設される。第４のベルトコンベア１３０の終端は貯留ポート２０８に達している。この第４のベルトコンベアは第２のベルトコンベア１１３と平行に配置することが好ましい。
貯留ポート２０８に貯留された混合廃棄物は重比重物であり、第３の処理ライン１４０のホッパ１４３へ投入され、第５のベルトコンベア１４５により破砕機１４７へ供給される。破砕機１４７で破砕された混合廃棄物は第６のベルトコンベア１４９により第３の振動ふるい１５１へ供給される。第３の振動ふるい１５１は２０ｍｍの目を有し、破砕された混合廃棄物を選別する。即ち、２０ｍｍサイズ以下の混合廃棄物はセメント原料として使用可能であり、２０ｍｍサイズを超える混合廃棄物はモルタル等の建築用資材として使用可能である。符号１５３及び符号１５５はそれぞれ第７及び第８のベルトコンベアである。
ここに、第５のベルトコンベア１４５を第３のベルトコンベア１２１へ近接してかつ平行に配置し、破砕機１４７を第２の振動ふるい１１５の近傍に配置することが省スペースの観点から好ましい。同様に、第５のベルトコンベア１４５は第４のベルトコンベア１３０とクロスすることが好ましい。破砕機１４７と第３の振動ふるい１５１とをつなぐ第６のベルトコンベア１４９も第４のベルトコンベア１３０とクロスしかつ第３のベルトコンベア１２１と平行に配置することが、省スペースの観点から、好ましい。
【００２３】
次に、実施例の廃棄物処理プラント１の動作を図７に基づき説明する。なお、選別の基準については図１を参照されたい。
まず、廃プラスチックＰＬはプラント施設の第１の受入れポート２０１へ搬入される（図２参照）。搬入された廃プラスチックＰＬから鉄屑等が磁選機６４で除去され、ホッパ６１へ廃プラスチックＰＬが投入される。廃プラスチックＰＬは第１のライン６０を構成するベルトコンベアで移送されながら、塩ビパイプ等、塩ビシート等、鉄屑、非鉄金属屑、塩素系残渣物が除去される。これらの異物は夫々の特性に応じて、再生資源となったり廃棄処分となったりする。最終的に残った廃プラスチックＰＬは破砕機６６により破砕されて可燃フラフ化され、更にプレス機６７により圧縮され、固形燃料として使用可能となる。
なお、この実施例では混合廃棄物から廃棄された第２の廃プラスチック系廃棄物ＭＸ１１２が混入され、当該第２の廃プラスチック系廃棄物ＭＸ１１２におけるプラスチック比率を制御可能である。もって、固形燃料における単位体積当たりの熱量を制御可能となる。
【００２４】
混合廃棄物ＭＸはプラント施設の第２の受入れポート２０３へ搬入される（図２参照）。搬入された混合廃棄物ＭＸから鉄屑等が磁選機７２で除去され、選別部７０の固定グリズリータイプのホッパ７１へ投入される。グリズリーのピッチは４００ｍｍであり、４００ｍｍサイズを超える混合廃棄物ＭＸははじかれてキャタピラコンベア７３に届かない。４００ｍサイズを超える混合廃棄物ＭＸはプラント施設内に設置された図示しない破砕機により破砕されて再度ホッパ７１へ投入される。
混合廃棄物ＭＸはキャタピラコンベア７３及び急斜面コンベア７５を介して第１の選別機としてのトロンメル７７へ供給される。トロンメルの目は６０ｍｍであるので、６０ｍｍサイズを超える混合廃棄物ＭＸ１は第２の選別機としての第１の振動ふるい７９へ落下供給される。他方、６０ｍｍサイズ以下の混合廃棄物ＭＸ２は第１のベルトコンベア１１１の上に落下する。
【００２５】
第１の振動ふるい７９は２５０ｍｍの目を有するので、当該第１の振動ふるい７９へ供給された混合廃棄物ＭＸ１において２５０ｍｍ以下のサイズのもの（混合廃棄物ＭＸ１２）はベルトコンベア８０へ落下する。このベルトコンベア８０にも手選別所８２が設けられる。２５０ｍｍを越えるサイズの混合廃棄物ＭＸ１１であって高比重物ＭＸ１１１は、第１の振動ふるい７９の振動エネルギーにより遠くへ飛ばされる。その結果、プラント施設のがれきポート２０５へ排出される。他方、低比重物ＭＸ１１２は遠くへ飛ばされること無く第１のライン６０へ供給される。ここにおいて、振動ふるい７９の振動エネルギー（振幅、振動数）を調節することにより、所望の比重ＴＨｗ１を基準として混合廃棄物ＭＸ１１を選別することができる。
【００２６】
ベルトコンベア８０上の混合廃棄物ＭＸ１２は第３の選別機としての異物選別機８１へ送られる。異物選別機８１では、ベルトコンベアの角度及び送風機の風量を調整することにより所望の比重ＴＨｗ２を基準として混合廃棄物ＭＸ１２を選別する。即ち、混合廃棄物ＭＸ１２において重比重物ＭＸ１２１は残渣処理部１００の第４のベルトコンベア１３０へ送られ、貯留ポート２０８に蓄積される。低比重物１２２は第２のライン９０へ送られる。
ここに、第２のライン９０は第１のライン６０と近接してかつ平行に配置されている。そして、第１のライン６０３０と同様に、塩ビパイプ等、塩ビシート等、鉄屑、非鉄金属屑、塩素系残渣物が除去される。これらの異物は夫々の特性に応じて、再生資源となったり廃棄処分となったりする。最終的に残った廃プラスチックＰＬは破砕機６６により破砕されて可燃フラフ化され、更にプレス機６７により圧縮され、固形燃料として使用可能となる。
第２のライン９０を第１のライン６０と並設することにより、異物を除去するための各種装置や廃プラスチックを破砕、圧縮する装置の共用化が可能となる。
また、第２のライン９０へ送られる第１の廃プラスチック系廃棄物のプラスチック比率は第３の選別機により調整可能である。その結果、第２のライン９０から得られる燃料の単位体積当たりの熱量が制御可能となる。
【００２７】
トロンメル７７により選別された６０ｍｍサイズ以下の混合廃棄物ＭＸ２は第１のベルトコンベア１１１及び第２のベルトコンベア１１３を介して第４の選別機としての第２の振動ふるい１１５へ供給される。第１及び第２のベルトコンベアに対向して磁選機１２５を配置し、混合廃棄物ＭＸ２から鉄屑等を除去することが好ましい。
第２の振動ふるい１１５は１０ｍｍの目を備えるので、１０ｍｍ以下のサイズの混合廃棄物ＭＸ２２は第１の再生資材ポート２０６へ蓄積される。１０ｍｍを超えるサイズの混合廃棄物ＭＸ２１を第３のベルトコンベア１２１へ落下させる際に分別送風機１１９から風を当てる。風の強さに応じて所望の比重ＴＨｗ３以下の比較的軽比重の混合廃棄物ＭＸ２１２は第３の再生資材ポート２０７へ吹き飛ばされる。他方、ＴＨｗ３を越える比較的高比重の混合廃棄物ＭＸ２１１は第３のベルトコンベア１２１上に落下して、貯留ポート２０８へ蓄積される。
上記において、第１の再生資材ポート２０６に蓄積される微粉末の混合廃棄物ＭＸ２２はセメント原料として使用できる。第２の再生資材ポート２０７に蓄積される軽比重の混合廃棄物ＭＸ２１２は木材、プラスチック、紙類その他の可燃性材料であるため、これをプレスすることより燃料として使用できる。
【００２８】
貯留ポート２０８に蓄積された高比重の、即ち無機材料からなる混合廃棄物ＭＸ２１１、ＭＸ１２１は破砕機１４７で破砕され（混合廃棄物ＭＸ３）、第３の振動ふるい１５１へ供給される。第３の振動ふるい１５１は２０ｍｍの目を有するので、２０ｍｍ以下のサイズの混合廃棄物ＭＸ３２は第７のベルトコンベア１５３により第３の再生資材ポート２１０へ蓄積される。かかる小径かつ高比重の混合廃棄物ＭＸ３２はセメント原料として使用できる。他方、２０ｍｍを超えるサイズの混合廃棄物ＭＸ３１は第８のベルトコンベア１５５により第４の再生資材ポート２１３へ蓄積される。かかる比較的大径かつ高比重の混合廃棄物ＭＸ３２はモルタル等の建築用資材として使用できる。
【００２９】
上記において、各選別機における閾値（目の大きさ、比重）は任意に変更可能なことはいうまでもない。
以上説明したように、この実施例の廃棄物処理プラントによれば、建築廃材等に起因する混合廃棄物のリサイクルを可能とする。また、廃プラスチックの処理ラインと混合廃棄物の処理ラインとの最適な並設態様を示す。
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００３０】
【図１】図１はこの発明の実施例の廃棄物処理プラントの概略構成図である。
【図２】図２は同じく実施例の廃棄物処理プラントの平面図である。
【図３】図３は図２におけるＡ−Ａ矢視線断面図である。
【図４】図４は図２におけるＢ−Ｂ矢視線断面図である。
【図５】図５は図２におけるＣ−Ｃ矢視線断面図である。
【図６】図６は図２におけるＤ−Ｄ矢視線断面図である。
【図７】図７は実施例の廃棄処理プラントの動作フロー図である。
【符号の説明】
【００３１】
１，５０  廃棄物処理プラント
１０，６０  第１のライン
２０，７０  選別部
３０，９０  第２のライン
４０，１００  残渣処理部
【図１】
2010036163.tif 000003
【図２】
2010036163.tif 000004
【図３】
2010036163.tif 000005
【図４】
2010036163.tif 000006
【図５】
2010036163.tif 000007
【図６】
2010036163.tif 000008
【図７】
2010036163.tif 000009